(57)【要約】【課題】装置サイズのコンパクト化を維持しつつ、ＦＢＳでの読取可能サイズ・方向を拡充することを目的とする。【解決手段】ＦＢＳ１３は、原稿読取ユニット５５と、原稿載置台５１とを備えている。原稿読取ユニット５５は、一方向を読取主走査方向とし、かつ一方向に直交する方向を読取副走査方向として、駆動機構を読取副走査方向に駆動させながら、読取主走査方向の読取を繰り返すことで、原稿を読み取る。原稿載置台５１は、最大読取主走査長Ｌｍ及び最大読取副走査長Ｌｂにより区画された原稿読取面５１ａを有し、原稿読取ユニット５５が原稿を読み取るために、原稿読取面５１ａの範囲内に原稿が載置される。原稿読取装置１１は、最大読取主走査長Ｌｍが、Ａ４に対応する長さに設定され、最大読取副走査長Ｌｂが、Ｂ４に対応する長さに設定される。【選択図】図３
2016220086.tif 000002
【特許請求の範囲】
【請求項１】
一方向を読取主走査方向とし、かつ前記一方向に直交する方向を読取副走査方向として、駆動機構を前記読取副走査方向に駆動させながら、前記読取主走査方向の読取を繰り返すことで、原稿を読み取る原稿読取部と、
最大読取主走査長及び最大読取副走査長により区画された第１の読取領域を有し、前記原稿読取部が原稿を読み取るために、前記第１の読取領域の範囲内に原稿が載置される原稿載置台であって、前記最大読取主走査長が、第１の原稿サイズに対応する長さに設定され、前記最大読取副走査長が、前記第１の原稿サイズの長辺及び短辺とは異なる長辺及び短辺を有する第２の原稿サイズに対応する長さに設定される原稿載置台と、
を備えた原稿読取装置。
【請求項２】
前記原稿載置台は、前記原稿読取部が原稿を読み取るための領域であると共に、前記第１の読取領域と同じ最大読取主走査長である第２の読取領域をさらに有し、
前記第２の読取領域に対して、駆動機構を停止した状態で、複数枚の原稿を前記読取副走査方向に順次搬送させると共に、前記原稿読取装置の高さ方向において前記原稿読取部と異なる位置にある自動原稿搬送部をさらに備えた、請求項１に記載の原稿読取装置。
【請求項３】
前記第１の原稿サイズ及び前記第２の原稿サイズは、互いに異なる系列の原稿サイズである、請求項１又は２に記載の原稿読取装置。
【請求項４】
前記第１の原稿サイズは、Ａ４サイズであり、
前記第２の原稿サイズは、Ｂ４サイズである、請求項１〜３のいずれか１項に記載の原稿読取装置。
【請求項５】
前記原稿読取部が読み取りを開始させるための読取指示を操作者から受け付ける受付部と、
前記第１の読取領域より大きなサイズである規格外原稿を対象として、１回の読取指示を前記受付部が受け付けた場合に、前記規格外原稿を複数回に分けて前記原稿読取部が読み取った各分割画像データ同士を連結し、前記規格外原稿に基づく一つの原稿データを生成する連結部と、
をさらに備えた、請求項１〜４のいずれか１項に記載の原稿読取装置。
【請求項６】
前記原稿読取部は、
前記規格外原稿を読み取る場合に、前記読取副走査方向における前記第１の読取領域の両端のうちの一方の端部を読取基準位置として、前記原稿読取部が第１回目の読取を行い、前記第１の読取領域の両端のうちの他方の端部を読取基準位置として、前記原稿読取部が第２回目の読取を行い、
前記連結部は、
前記原稿読取部が前記第１回目の読取及び前記第２回目の読取を行った双方の原稿データを連結し、前記規格外原稿の原稿データを生成する、請求項５に記載の原稿読取装置。
【請求項７】
前記駆動機構を停止した状態で、所定の搬送経路に沿って複数枚の原稿を前記読取副走査方向に順次搬送させる自動原稿搬送部をさらに備え、
前記原稿載置台は、前記自動原稿搬送部が順次搬送させる原稿を前記原稿読取部が読み取るための領域である第２の読取領域をさらに有し、
前記第１の読取領域と前記第２の読取領域とは、前記読取副走査方向において、一定の間隔を空けて並べて配置され、
前記原稿読取部は、
前記読取副走査方向における前記第１の読取領域の両端のうち前記第２の読取領域から遠い側の端部を読取基準位置として、第１回目の読取を行い、
前記読取副走査方向における前記第１の読取領域の両端のうち前記第２の読取領域から近い側の端部を読取基準位置として、第２回目の読取を行い、
前記連結部は、
前記原稿読取部が前記第１回目の読取及び前記第２回目の読取を行った双方の原稿データを連結し、前記規格外原稿の原稿データを生成する
請求項５に記載の原稿読取装置。
【発明の詳細な説明】
【技術分野】
【０００１】
本発明は、原稿読取装置に関する。
【背景技術】
【０００２】
原稿の画面を読み取る原稿読取装置の一例として、フラットベッドスキャナ（Ｆｌａｔ  Ｂｅｄ  Ｓｃａｎｎｅｒ、以下、ＦＢＳという）は、原稿読取面を有する原稿台と、原稿台に内蔵されたイメージセンサとを有している。原稿読取面は、原稿読取装置の正面に立つ使用者に対して左右方向に長くなる矩形を有している。イメージセンサの読取主走査方向は原稿読取面の短辺方向に設定されており、読取副走査方向は原稿読取面長辺方向に設定されている。すなわち、画像読取部の構成部品（例えば、ミラーや読取ヘッド）が原稿読取面に対して原稿読取面の長辺方向に相対的に移動して、原稿の画像を読み取るようになっている
原稿読取面として、縦型Ａ４サイズのプラテンガラスを用いているＦＢＳも知られている（例えば、参考文献１を参照）。
【先行技術文献】
【特許文献】
【０００３】
【特許文献１】特開２００２−２９０６８０号公報
【発明の概要】
【発明が解決しようとする課題】
【０００４】
参考文献１のＦＢＳでは、プラテンガラスの読取領域において、読取主走査長が読取副走査長より長い。以上の構成によって、読取可能原稿はＡ４ＬＥＦの載置範囲内に収まる原稿であって、このＦＢＳはＡ４ＳＥＦを読み取ることができない。なお、ＬＥＦ（Ｌｏｎｇ  Ｅｄｇｅ  Ｆｅｅｄ）は、読取主走査方向に原稿の長辺を沿わしてセットした場合を意味しており、ＳＥＦ（Ｓｈｏｒｔ  Ｅｄｇｅ  Ｆｅｅｄ）は、読取主走査方向に原稿の短辺を沿わしてセットした場合を意味している。
【０００５】
また、横型Ｂ４サイズのプラテンガラスを用いているＦＢＳも知られている。このＦＢＳでは、プラテンガラスの読取領域において、読取主走査長が読取副走査長より短い。以上の構成によって、読取可能原稿はＢ４ＳＥＦの載置範囲内に収まる原稿であって、このＦＢＳはＡ４ＬＥＦを読み取ることができない。
このＦＢＳでは、Ａ４ＬＥＦ原稿の画像データを得たい場合には、以下の作業が必要になる。つまり、Ａ４ＬＥＦ原稿をＡ４ＳＥＦで読み取り、その後に画像データに９０°回転処理を実行する。したがって、回転処理のために画像データをメモリに保存する必要があり、そのため画像読み取りの作業効率が悪くなる。言い換えると、ＦＢＳでの読取可能サイズ・方向が制限されている。
上記の問題を解消するためには、例えば、１サイズ大きいガラスサイズに構成すればよいが、それに応じてＦＢＳのサイズ（特に装置の設置面積）が大型化してしまう。つまり、小規模なオフィスや家庭で用いられる小型機には好ましくない。
【０００６】
本発明の目的は、装置サイズのコンパクト化を維持しつつ、ＦＢＳでの読取可能サイズ・方向を拡充することにある。
【課題を解決するための手段】
【０００７】
以下に、課題を解決するための手段として複数の態様を説明する。これら態様は、必要に応じて任意に組み合せることができる。
【０００８】
本発明の一見地に係る原稿読取装置は、原稿読取部と、原稿載置台とを備えている。
原稿読取部は、一方向を読取主走査方向とし、かつ一方向に直交する方向を読取副走査方向として、駆動機構を読取副走査方向に駆動させながら、読取主走査方向の読取を繰り返すことで、原稿を読み取る。
原稿載置台は、最大読取主走査長及び最大読取副走査長により区画された第１の読取領域を有し、原稿読取部が原稿を読み取るために、第１の読取領域の範囲内に原稿が載置される。最大読取主走査長が、第１の原稿サイズに対応する長さに設定され、最大読取副走査長が、第１の原稿サイズの長辺及び短辺とは異なる長辺及び短辺を有する第２の原稿サイズに対応する長さに設定される。
この装置では、最大読取主走査長及び最大読取副走査長が、互いに異なるサイズである第１の原稿サイズ及び第２の原稿サイズにそれぞれ対応させた長さに設定されている。したがって、従来にない方法で、装置サイズのコンパクト化と、原稿の読取可能方向・サイズの拡充との両立を実現できる。また、読取可能方向が縦横方向いずれにも対応する原稿種類が増えることで、画像データを回転処理を伴わずに指定された方向で出力できる。
【０００９】
原稿載置台は、原稿読取部が原稿を読み取るための領域であると共に、第１の読取領域と同じ最大読取主走査長である第２の読取領域をさらに有していてもよい。
原稿読取装置は、第２の読取領域に対して、駆動機構を停止した状態で、複数枚の原稿を読取副走査方向に順次搬送させると共に、原稿読取装置の高さ方向において原稿読取部と異なる位置にある自動原稿搬送部をさらに備えていてもよい。
この装置では、自動原稿搬送部を用いることにより、装置の設置面積を増やすことなく、第１の読取領域より大きな原稿を読み取ることができる。
【００１０】
第１の原稿サイズ及び第２の原稿サイズは、互いに異なる系列の原稿サイズであってもよい。
【００１１】
第１の原稿サイズは、Ａ４サイズであり、
第２の原稿サイズは、Ｂ４サイズであってもよい。
【００１２】
原稿読取装置が、受付部と、連結部とをさらに備えていてもよい。受付部は、原稿読取部が読み取りを開始させるための読取指示を操作者から受け付ける。連結部は、第１の読取領域より大きなサイズである規格外原稿を対象として、１回の読取指示を受付部が受け付けた場合に、規格外原稿を複数回に分けて原稿読取部が読み取った各分割画像データ同士を連結し、規格外原稿に基づく一つの原稿データを生成する。
この装置では、第１の読取領域より大きな原稿を原稿読取装置で読み取ることができる。
【００１３】
原稿読取部は、規格外原稿を読み取る場合に、読取副走査方向における第１の読取領域の両端のうちの一方の端部を読取基準位置として、原稿読取部が第１回目の読取を行い、第１の読取領域の両端のうちの他方の端部を読取基準位置として、原稿読取部が第２回目の読取を行ってもよい。
連結部は、原稿読取部が第１回目の読取及び第２回目の読取を行った各分割画像データを連結し、規格外原稿の原稿データを生成してもよい。
この装置では、第１の読取領域より大きなサイズの原稿を読み取る場合において、２回目の原稿セットのときに、操作者は、１回目のセット位置から原稿を横にずらすだけでよい。したがって、操作者による原稿セットが簡単である。
【００１４】
原稿読取装置は、自動原稿搬送部をさらに備えていてもよい。自動原稿搬送部は、駆動機構を停止した状態で、所定の搬送経路に沿って複数枚の原稿を読取副走査方向に順次搬送させる。
原稿載置台は、自動原稿搬送部が順次搬送させる原稿を原稿読取部が読み取るための領域である第２の読取領域をさらに有していてもよい。
第１の読取領域と第２の読取領域とは、読取副走査方向において、一定の間隔を空けて並べて配置されていてもよい。
原稿読取部は、読取副走査方向における第１の読取領域の両端のうち第２の読取領域から遠い側の端部を読取基準位置として、第１回目の読取を行い、読取副走査方向における第１の読取領域の両端のうち第２の読取領域から近い側の端部を読取基準位置として、第２回目の読取を行ってもよい。
連結部は、原稿読取部が第１回目の読取及び第２回目の読取を行った双方の原稿データを連結し、規格外原稿の原稿データを生成してもよい。
上記の設定とは異なり、第２回目の読取のために、第２の読取領域から遠い側を基準に原稿をセットすれば、以下の問題が生じる。すなわち、第２回目の読取において原稿の端部が第２の読取領域に被さった状態になり、さらに、第２回目の読取を終えた操作者が原稿を原稿読取装置に置きっぱなしにして立ち去ることがある。この場合、別の操作者が自動原稿搬送部を利用する際、取り忘れの原稿により、自動原稿搬送部が正常に原稿を読み取れない。
この装置では、第２回目の読取では、第２の読取領域に近い側を原稿読取基準としているので、原稿を取り忘れた場合であっても、第２の読取領域に取り忘れの原稿が被さることがない。したがって、その後に、他の操作者が自動原稿搬送部を利用する際、自動原稿搬送部によって原稿を正常に読み取れる。
【発明の効果】
【００１５】
本発明に係る画像読取装置では、装置サイズのコンパクト化を維持しつつ、ＦＢＳでの読取可能サイズ・方向を拡充できる。
【図面の簡単な説明】
【００１６】
【図１】本発明の第１実施形態の複合機の斜視図。
【図２】複合機の断面図。
【図３】複合機のＦＢＳの平面図。
【図４】ＦＢＳの断面図。
【図５】複合機の制御構成を示すブロック図。
【図６】画像読取装置の制御動作を示すフローチャート。
【図７】表示部において動作指示を示す画面。
【図８】用紙をＦＢＳに置いた状態を示す概略平面図。
【図９】表示部において動作指示を示す画面。
【図１０】用紙をＦＢＳに置いた状態を示す概略平面図。
【図１１】合成して得られた画像データ。
【図１２】表示部において動作指示を示す画面。
【図１３】用紙をＦＢＳに置いた状態を示す概略平面図。
【図１４】表示部において動作指示を示す画面。
【図１５】表示部において動作指示を示す画面。
【発明を実施するための形態】
【００１７】
１．第１実施形態
（１）画像形成装置の構成
図１及び図２を用いて、第１実施形態に係る画像形成装置として複合機を説明する。図１は、本発明の第１実施形態の複合機の斜視図である。図２は、複合機の断面図である。
なお、本明細書で、複合機１の正面とは、操作パネル２１が設けられ、使用者が使用時に立つ側の側面を意味し、複合機１の背面とは正面に対して反対側の側面を意味する。また、幅方向又は左右方向とは図２における左右方向であり、奥行き方向とは図２における紙面に直交する方向である。また、複合機１の左側及び右側は、それぞれ図２の左側及び右側を意味する。
【００１８】
複合機１は、スキャナ機能、コピー機能、ファクシミリ機能などを備えたＭＦＰ（Ｍｕｌｔｉｆｕｎｃｔｉｏｎ  Ｐｅｒｉｐｈｅｒａｌ）とも呼ばれる。複合機１は、本体部３を備える。本体部３は、複合機１の本体を形成する。本体部３は、内部に画像形成部５（図２）を収容する筐体を有している。
本体部３には、排出トレイ７が形成されている。排出トレイ７は、画像形成部５で印刷された用紙を収容するように、本体部３内に設けられた胴内排出空間を有する。
【００１９】
複合機１は、原稿読取装置１１を備える。原稿読取装置１１は、印刷したい画像を当該印刷したい画像が形成された紙面などから読み取るイメージスキャナである。原稿読取装置１１は、本体部３の上部に設けられる。
原稿読取装置１１は、ＦＢＳ１３と、ＡＤＦ（Ａｕｔｏ  Ｄｏｃｕｍｅｎｔ  Ｆｅｅｄｅｒ）１５とを有している。原稿読取装置１１は後に詳細に説明する。
【００２０】
複合機１は、操作パネル２１を備える。操作パネル２１は、操作者による複合機１の入力操作を受け付ける装置である。図１に示すように、操作パネル２１は、原稿読取装置１１の下方に設けられている。操作パネル２１は、キー操作部２１ａと表示部２１ｂを含んでいる。キー操作部２１ａには、テンキー、スタートキー、ストップキー、ワンタッチダイアルキー等が配置されている。表示部２１ｂは、複合機１の状態、例えばエラーメッセージ等を表示する。表示部２１ｂは、操作部の一部を構成するタッチパネルを含んでいる。
複合機１は、図２に示すように、本体部３と原稿読取装置１１との間に配置された上部給紙カセット２３を有している。複合機１は、本体部３の下部（画像形成部５の下方）に配置された下部給紙カセット２５を有している。上部給紙カセット２３及び下部給紙カセット２５は、所定の最大用紙サイズ（本例ではＢ４サイズ）以下のサイズの複数の用紙を積層状態で収容する。
【００２１】
（２）画像形成部の構成
図２を用いて、複合機１に備わる画像形成部５を説明する。画像形成部５は、上部給紙カセット２３又は下部給紙カセット２５から供給した用紙の表面上に、電子写真方式により印刷したい画像を形成する。
画像形成部５は、感光体ドラム３３と、感光体ドラム３３の周囲に配設された帯電デバイス３５と、露光デバイス３７と、現像デバイス３９と、転写ローラ４１と、クリーニングデバイス４３と、加熱ローラ４５と、加圧ローラ４７などにより構成されている。
【００２２】
以下に、画像形成部５が用紙の表面に画像を形成する動作を説明する。
最初に、帯電デバイス３５により帯電された感光体ドラム３３に対して、画像データに基づいて光量が調整された光を、露光デバイス３７により照射する。これにより、感光体ドラム３３の表面に、印刷したい画像に対応した静電潜像が形成される。
【００２３】
次に、感光体ドラム３３の表面に、現像デバイス３９からトナーを供給する。これにより、感光体ドラム３３の表面上に、静電潜像に対応するようにトナーが付着する。
その後、感光体ドラム３３と転写ローラ４１との回転により、画像形成部５へと供給されてきた用紙が、感光体ドラム３３と転写ローラ４１との間を通過する。このとき、用紙の表面に、トナーが付着される。
用紙は、さらに、加熱ローラ４５と加圧ローラ４７との間を通過する。用紙が加熱ローラ４５と加圧ローラ４７との間を通過することにより、トナーが、用紙の表面に固定される。
【００２４】
（３）原稿読取装置の構成
（３−１）ＦＢＳの構成
ＦＢＳ１３は、原稿の画像を読み取るためのものであり、原稿載置台５１と、原稿載置台５１を覆う原稿台カバー５３（図１）と、原稿載置台５１の下部に配置された原稿読取ユニット５５を備えている。
図３を用いて、原稿載置台５１を説明する。図３は、複合機のＦＢＳの平面図である。原稿載置台５１は、第１の読取領域としての原稿読取面５１ａを有している。原稿読取面５１ａは、ＦＢＳ方式によって原稿を読み取る際に原稿をその上に載置するための透明な板状の部材であり、本体部３の最上面に配置されている。
【００２５】
原稿読取面５１ａは、平面視で矩形であり、最大読取主走査長Ｌｍ及び最大読取副走査長Ｌｂにより区画されている。原稿読取面５１ａは、最大読取副走査長Ｌｂとなる長辺が左右方向（図３のＡ方向）に平行に配置され、最大読取主走査長Ｌｍとなる短辺が奥行き方向（図３のＢ方向）に平行に配置されている。
最大読取主走査長Ｌｍは、第１の原稿サイズ（具体的には、Ａ列）に対応する長さ（第１の原稿サイズの長辺であり、具体的には、Ａ４長辺の長さ。）に設定されている。短辺における最大読取副走査長Ｌｂは、第２の原稿サイズ（具体的には、Ｂ列）に対応する長さ（第２の原稿サイズの長辺であり、具体的には、Ｂ４長辺の長さ）に設定されている。第２の原稿サイズは、第１の原稿サイズの長辺及び短辺とは異なる長辺及び短辺を有するものである。詳細に言えば、第２の原稿サイズの長辺は、第１の原稿サイズの長辺及び短辺と異なる長さであり、第２の原稿サイズの短辺は、第１の原稿サイズの長辺及び短辺と異なる長さである。
【００２６】
上記のように、最大読取主走査長Ｌｍ及び最大読取副走査長Ｌｂが、互いに異なるサイズである第１の原稿サイズ（Ａ列）及び第２の原稿サイズ（Ｂ列）にそれぞれ対応させた長さに設定されている。したがって、従来にない方法で、装置サイズのコンパクト化と、原稿の読取可能方向・サイズの拡充との両立を実現できる。この実施形態での「装置サイズのコンパクト化」とは、従来のＢ４幅の寸法を維持していることを意味する。
また、読取可能方向が縦横方向いずれにも対応する原稿種類が増えることで、画像データを、回転処理を伴わずに指定された方向で出力できる。この実施形態での「読取可能方向が縦横方向いずれにも対応する原稿」とは、Ａ４サイズ以下の原稿を意味する。具体的には、原稿読取面５１ａは、Ａ４ＳＥＦ、Ａ４ＬＥＦ、Ｂ４ＳＥＦを読み取り可能であり、Ａ４サイズより小さなサイズの原稿（Ｂ５、はがき等）を読取可能である。
【００２７】
本実施形態では、Ａ４ＬＥＦでスキャンが可能となることで、Ａ４ＬＥＦ画像原稿をスキャンする場合に、画像データを回転させる必要がなくなる。したがって、画像データを回転処理のためにメモリに保存する必要がなくなる。その結果、ＦＣＯＴ（Ｆｉｒｓｔ  Ｃｏｐｙ  Ｏｕｔｐｕｔ  Ｔｉｍｅ）が向上する。従来のように、原稿読取面がＢ４ＳＥＦである場合には、Ａ４ＬＥＦ原稿はＡ４ＳＥＦでスキャンしなければならず、そのため画像データを回転させる必要があった。
さらに、本実施形態では、Ａ４のＢＯＯＫをスキャンする場合に、見開き右側のページをスキャンする際には、原稿台カバー５３を避けるために、ＢＯＯＫの上下を反転させる必要が無い。従来のように、原稿読取面がＢ４ＳＥＦである場合には、Ａ４のＢＯＯＫをスキャンする場合に、見開き右側のページをスキャンする際には、原稿台カバーを避けるために、ＢＯＯＫの上下を反転させる必要があった。そして、その場合は画像データも回転してしまっていた。
【００２８】
第１の原稿サイズ及び第２の原稿サイズは、互いに異なる系列の原稿サイズである。ただし、系列の種類は、Ａ列、Ｂ列に限定されない。サイズの系統は、Ｌｅｔｔｅｒサイズ（８．５×１１インチ）、Ｌｅｇａｌサイズ（８．５×１４インチ）、Ｌｅｄｇｅｒサイズ（１１×１７インチ）を含んでいてもよい。
原稿台カバー５３は、本体部３の上部に配置されている。原稿台カバー５３は、原稿載置台５１上に載置された原稿を、原稿載置台５１との間に固定状態で挟み込むように構成されている。原稿台カバー５３は、本体部３の上面の背面側端部に設けられたヒンジ（図示せず）を回動中心として回動可能となっている。
【００２９】
図４を用いて、原稿読取部としての原稿読取ユニット５５を説明する。図４は、ＦＢＳの断面図である。
原稿読取ユニット５５は、一方向を読取主走査方向とし、かつ一方向に直交する方向を読取副走査方向として、駆動機構（図示せず）を読取副走査方向に駆動させながら、読取主走査方向の読取を繰り返すことで、原稿を読み取る。具体的には、原稿読取ユニット５５は、本体部３の最上部にわたって配置されており、原稿に光を照射する光源（図示せず）と、原稿の画像を読み取る撮像素子としてのＣＩＳ素子（図示せず）と、それらを搭載したキャリッジ５５ａと、キャリッジ５５ａを読取副走査方向（左右方向Ａ）に移動させる駆動機構（図示せず）とを有している。
【００３０】
本実施形態では、読取処理時に、原稿読取ユニット５５は、原稿のサイズに応じて選択された読取領域内の原稿の画像データを取得する。詳しくは、ＣＰＵ１０１（図５）からの駆動信号に基づいて、原稿読取ユニット５５は、駆動機構（図示せず）によって、載置された原稿の短辺方向の一端側から他端側まで読取副走査方向（図３の左右方向Ａ）に沿ってキャリッジ５５ａを移動させる。そして、原稿読取ユニット５５は、載置された原稿の長辺方向の一端側から他端側まで、読取主走査方向（図３の奥行き方向Ｂ）に原稿を単位ピクセル毎に走査し、撮像素子によって単位ピクセル毎の部分的な原稿の画像データを取得することを繰り返す。
なお、原稿読取ユニットは、公知の技術が用いられるので、種類は特に限定されない。
【００３１】
（３−２）ＡＤＦの構成
ＡＤＦ１５は、自動原稿搬送部として、原稿を自動的に原稿読取装置１１の内部に送り込む装置である。ＡＤＦ１５は、原稿読取装置１１の高さ方向において原稿読取ユニット５５と異なる位置にあり、複数枚の原稿を読取副走査方向に順次搬送させる。
具体的には、ＡＤＦ１５は、原稿台カバー５３の上側に一体に設けられている。ＡＤＦ１５は、複数の原稿を載置可能な給紙トレイ７３と、給紙トレイ７３上の原稿を下流側へ給紙するピックアップローラ（図示せず）と、給紙トレイ７３上の原稿を１枚ずつ分離供給する分離ローラ（図示せず）と、分離された原稿の向きを整えるレジストローラ（図示せず）と、原稿を下流側へ送り出す搬送ローラ（図示せず）とを有している。ＡＤＦ１５は、排出された原稿を収容する排紙トレイ８５を備えている。
【００３２】
ＡＤＦ１５は、送り出された原稿が上面を通過する幅狭で細長い透明な原稿通過面８３を有している。原稿通過面８３は、原稿載置台５１に設けられている。
原稿通過面８３は、原稿読取ユニット５５が原稿を読み取るための領域であると共に、第１の読取領域と同じ最大読取主走査長Ｌｍである第２の読取領域である。具体的には、原稿通過面８３は、原稿読取面５１ａの短辺長さ（最大読取主走査長Ｌｍ）と同じ長さを有しており、原稿読取面５１ａの短辺に沿って奥行き方向Ｂに延び、原稿読取面５１ａの短辺からわずかな隙間を空けて平行に配置されている。原稿通過面８３は、ＡＤＦ用プラテンガラス（コンタクトガラス）からなる。
【００３３】
ＡＤＦ１５は原稿を搬送し、原稿は原稿通過面８３上を通過する。このとき、キャリッジ５５ａは静止状態で原稿通過面８３の下部に位置しており、原稿読取ユニット５５は原稿通過面８３を通して原稿の画像を読み取る。つまり、ＡＤＦ方式による読取主走査方向及び読取副走査方向は、それぞれＦＢＳ方式と同様に奥行き方向Ｂ及び左右方向Ａである。
上述のように、ＡＤＦ１５を用いることにより、装置の設置面積を増やすことなく、原稿読取面５１ａより大きな原稿を読み取ることができる。具体的には、ＡＤＦ１５は、例えば、Ａ４ＳＥＦ、Ａ４ＬＥＦ、Ｂ４ＳＥＦ、Ａ３ＳＥＦ、Ａ４より小さなサイズの原稿を読み取ることができる。
【００３４】
本実施形態では、ＦＢＳ方式によって読み取り可能な最大原稿サイズはＢ４であるが、ＡＤＦ方式によってＡ３サイズの原稿を読み取ることができる。つまり、本実施形態では、ＦＢＳ方式で用いられる原稿読取面５１ａのサイズに比べて、より大きなサイズの原稿を複写できる。すなわち、本実施形態の複合機１は、Ａ３サイズの読取処理に対応しつつ、本体部３はＢ４サイズに対応したコンパクトなサイズとなっている。
【００３５】
（４）制御構成
図５を用いて、複合機１の制御構成を説明する。図５は、複合機の制御構成を示すブロック図である。
ＣＰＵ１０１は、バス１３１を介して、複合機１全体を制御する。
【００３６】
画像処理部１０３は、原稿読取装置１１からの読取画像信号を処理して、印刷用画像データを出力する。
コーデック１０５は、原稿読取装置１１及びその他の装置から得られる画像データを圧縮してＤＤＲメモリ１２１に記録する処理、及び圧縮された画像データを伸張する処理を行う。
画像回転部１０７は、ＤＤＲメモリ１２１に保存された画像データを回転する。
【００３７】
モータコントローラ１０９は、ＦＢＳ１３及びＡＤＦ１５において、原稿を搬送する及びキャリッジ５５ａを駆動するためのＡＤＦ／ＦＢＳモータ１１１を駆動する。
画像入力インターフェース１１３は、原稿読取装置１１から画像データを受信する。
画像出力インターフェース１１５は、画像形成部５に画像データを送信する。
ビデオ出力インターフェース１１７は、操作パネル２１に画面表示データを送信する。
【００３８】
メモリコントローラ１１９は、ＣＰＵ１０１からの命令に基づきＤＤＲメモリ１２１へのプログラムや画像データの書き込み、ＤＤＲメモリ１２１からのプログラムや画像データの読み出しを制御する。
ＤＤＲメモリ１２１は、揮発性メモリであり、省電力で情報を保持し続けることができるセルフリフレッシュ機能を有する。ＤＤＲメモリ１２１は、ＲＯＭに格納されたＣＰＵ１０１が実行するブートプログラム、オペレーティングシステム等、各種プログラムが展開されると共に、画像データが格納される。
【００３９】
（５）ＦＢＳによる規格外原稿の読取動作
（５−１）Ａ３原稿の読み取り（第１方式）
画像処理部１０３は、原稿読取面５１ａより大きなサイズである規格外原稿（例えば、Ａ３）を対象として、１回の読取指示をＣＰＵ１０１が受け付けた場合に、規格外原稿Ｓを複数回に分けてＦＢＳ１３が読み取った各分割画像データ同士を連結し、規格外原稿に基づく一つの画像データを生成する。
この装置では、原稿読取面５１ａより大きな原稿をＦＢＳ１３で読み取ることができる。
【００４０】
図６〜図１１を用いて、ＦＢＳ１３がＡ３の原稿を読み取る動作を具体的に説明する。図６は、画像読取装置の制御動作を示すフローチャートである。図７は、表示部において動作指示を示す画面である。図８は、用紙をＦＢＳに置いた状態を示す概略平面図である。図９は、表示部において動作指示を示す画面である。図１０は、用紙をＦＢＳに置いた状態を示す概略平面図である。図１１は、合成して得られた画像データである。
図６のステップＳ１において、ＣＰＵ１０１は、操作パネル２１のスタートキーが操作されるのを待つ。ここでのスタートキーとは、Ａ３の原稿読取モードを指示するスタートキーである。スタートキーが操作されると、このスタートキーはＦＢＳ１３に読み取りを開始させるための操作者からの読取指示であり、ＣＰＵ１０１がそれを受け付けて、プロセスはステップＳ２に移行する。
【００４１】
ステップＳ２では、ＣＰＵ１０１は、ビデオ出力インターフェース１１７を介して、Ａ３の原稿Ｓの最初の半分を読み取るために操作者に指示する第１回指示画面を、操作パネル２１の表示部２１ｂに表示させる。図７において、第１回指示画面を示す。なお、原稿Ｓの位置合わせ基準位置は、原稿読取面５１ａの奥側左角である。
操作者は、Ａ３の原稿Ｓを原稿読取面５１ａにセットする。その状態が、図８に示されている。その後、操作者は、操作パネル２１の表示部２１ｂのスタートキーを操作する。
【００４２】
ステップＳ３では、ＣＰＵ１０１が、原稿読取装置１１を駆動して、Ａ３用紙の最初の半分を読み取らせる。分割画像データは、メモリコントローラ１１９によって、ＤＤＲメモリ１２１に格納される。
ステップＳ４では、ＣＰＵ１０１は、ビデオ出力インターフェース１１７を介して、Ａ３の原稿Ｓの残りの半分を読み取るために操作者に指示する第２回指示画面を、操作パネル２１の表示部２１ｂに表示させる。図９において、第２回指示画面を示す。なお、原稿Ｓの位置合わせ基準位置は、原稿読取面５１ａの奥側左角である。
【００４３】
操作者は、Ａ３用紙を１８０度回転して原稿読取面５１ａにセットする。その状態が、図１０に示されている。その後、操作者は、操作パネル２１のスタートキーを操作する。
ステップＳ５では、ＣＰＵ１０１が、原稿読取装置１１を駆動して、Ａ３の原稿Ｓの残りの半分を読み取らせる。分割画像データは、メモリコントローラ１１９によって、ＤＤＲメモリ１２１に格納される。
【００４４】
ステップＳ６では、ＣＰＵ１０１は、第２回目に読み取った分割画像データを１８０度回転する必要があるか否かを判断する。この場合は、回転の必要があるので、プロセスはステップＳ８に移行する。なお、回転の必要が無い場合は、ステップＳ８はスキップされる。
ステップＳ８では、画像回転部１０７がＤＤＲメモリ１２１に格納された２回目の分割画像データを１８０度回転する。
【００４５】
ステップＳ７では、画像処理部１０３が第１回目の分割画像データと第２回目の分割画像データを連結することで、１枚のＡ３の画像データを生成する。図１１において、Ａ３の画像データを示す。
Ａ３の画像データは、ＤＤＲメモリ１２１に保存され、必要に応じて、他のコンピュータに送信されたり、画像形成部５で印刷されたりする。
【００４６】
なお、上記方式では、Ａ３原稿を分割する位置は、Ａ３原稿の長辺の中央の位置である。ただし、Ａ３原稿を分割する位置は特に限定されない。これは以下の方式でも同様である。
また、上記方式は、原稿の読み取りに関連する動作であればよく、コピー、スキャン、ファクスのいずれでも実施可能である。これは以下の方式でも同様である。
【００４７】
（５−２）Ａ３原稿の読み取り（第２方式）
ＦＢＳ１３は、規格外原稿（例えば、Ａ３）を読み取る場合に、読取副走査方向（左右方向Ａ）における原稿読取面５１ａの両端のうちの一方の端部（例えば、左端）を読取基準位置として、ＦＢＳ１３が第１回目の読取を行い、原稿読取面５１ａの両端のうちの他方の端部（例えば、右端）を読取基準位置として、ＦＢＳ１３が第２回目の読取を行う。
【００４８】
画像処理部１０３は、ＦＢＳ１３が第１回目の読取及び第２回目の読取を行った各分割画像データを連結し、規格外原稿の画像データを生成する。
この装置では、原稿読取面５１ａより大きなサイズの原稿を読み取る場合において、２回目の原稿セットのときに、操作者は、１回目のセット位置から原稿を横にずらすだけでよい。したがって、操作者による原稿セットが簡単である。
【００４９】
図６〜８及び図１２〜１３を用いて、ＦＢＳ１３がＡ３の原稿Ｓを読み取る動作を具体的に説明する。図１２は、表示部において動作指示を示す画面である。図１３は、用紙をＦＢＳに置いた状態を示す概略平面図である。
図６のステップＳ１において、ＣＰＵ１０１は、操作パネル２１のスタートキーが操作されるのを待つ。ここでのスタートキーとは、Ａ３の原稿読取モードを指示するスタートキーである。スタートキーが操作されると、プロセスはステップＳ２に移行する。
【００５０】
ステップＳ２では、ＣＰＵ１０１は、ビデオ出力インターフェース１１７を介して、Ａ３用紙の最初の半分を読み取るために操作者に指示する第１回指示画面を、操作パネル２１の表示部２１ｂに表示させる。図７において、第１回指示画面を示す。なお、原稿Ｓの位置合わせ基準位置は、原稿読取面５１ａの奥側左角である。
操作者は、Ａ３の原稿Ｓを原稿読取面５１ａにセットする。その状態が、図８に示されている。その後、操作者は、操作パネル２１の表示部２１ｂのスタートキーを操作する。
【００５１】
ステップＳ３では、ＣＰＵ１０１が、原稿読取装置１１を駆動して、Ａ３の原稿Ｓの最初の半分を読み取らせる。分割画像データは、メモリコントローラ１１９によって、ＤＤＲメモリ１２１に格納される。
ステップＳ４では、ＣＰＵ１０１は、ビデオ出力インターフェース１１７を介して、Ａ３用紙の残りの半分を読み取るために操作者に指示する第２回指示画面を、操作パネル２１の表示部２１ｂに表示させる。図１２において、第２回指示画面を示す。なお、原稿Ｓの位置合わせ基準位置は、原稿読取面５１ａの奥側右角である。
【００５２】
操作者は、Ａ３の原稿Ｓをそのまま左にずらし原稿読取面５１ａにセットする。その状態が、図１３に示されている。その後、操作者は、操作パネル２１の表示部２１ｂのスタートキーを操作する。
ステップＳ５では、ＣＰＵ１０１が、原稿読取装置１１を駆動して、Ａ３の原稿Ｓの残りの半分を読み取らせる。分割画像データは、メモリコントローラ１１９によって、ＤＤＲメモリ１２１に格納される。
【００５３】
ステップＳ６では、ＣＰＵ１０１は、第２回目に読み取った分割画像データを１８０度回転する必要があるか否かを判断する。この場合は、回転の必要がないので、プロセスはステップＳ８をスキップする。
ステップＳ７では、画像処理部１０３が第１回目の分割画像データと第２回目の分割画像データを連結することで、１枚のＡ３の画像データを生成する。図１１において、Ａ３の画像データを示す。
Ａ３画像データは、そのまま保存され、必要に応じて、他のコンピュータに送信されたり、画像形成部５で印刷されたりする。
【００５４】
（５−３）Ａ３原稿の読み取り（第３方式）
原稿読取装置１１は、読取副走査方向（左右方向Ａ）における原稿読取面５１ａの両端のうち原稿通過面８３から遠い側の端部（右側端）を読取基準位置として、第１回目の読取を行う。
原稿読取装置１１は、読取副走査方向（左右方向Ａ）における原稿読取面５１ａの両端のうち原稿通過面８３から近い側の端部（左側端部）を読取基準位置として、第２回目の読取を行う。
この装置では、第２回目の読取では、原稿通過面８３に近い側を原稿読取基準としているので、原稿を取り忘れた場合であっても、原稿通過面８３に取り忘れの原稿Ｓが被さることがない。したがって、その後に、他の操作者がＡＤＦ１５を利用する際、ＡＤＦ１５が正常に原稿Ｓを読み取れる。
【００５５】
図６、図８、図１１、図１４〜１５を用いて、ＦＢＳ１３がＡ３の原稿Ｓを読み取る動作を具体的に説明する。図１４は、表示部において動作指示を示す画面である。図１５は、表示部において動作指示を示す画面である。
図６のステップＳ１において、ＣＰＵ１０１は、操作パネル２１のスタートキーが操作されるのを待つ。ここでのスタートキーとは、Ａ３の原稿読取モードを指示するスタートキーである。スタートキーが操作されると、プロセスはステップＳ２に移行する。
【００５６】
ステップＳ２では、ＣＰＵ１０１は、ビデオ出力インターフェース１１７を介して、Ａ３用紙の最初の半分を読み取るために操作者に指示する第１回指示画面を、操作パネル２１の表示部２１ｂに表示させる。図１４において、第１回指示画面を示す。なお、原稿Ｓの位置合わせ基準位置は、原稿読取面５１ａの奥側右角である。
操作者は、Ａ３用紙を原稿読取面５１ａにセットする。その状態が、図１３に示されている。その後、操作者は、操作パネル２１の表示部２１ｂのスタートキーを操作する。
【００５７】
ステップＳ３では、ＣＰＵ１０１が、原稿読取装置１１を駆動して、Ａ３用紙の最初の半分を読み取らせる。画像データは、メモリコントローラ１１９によって、ＤＤＲメモリ１２１に格納される。
ステップＳ４では、ＣＰＵ１０１は、ビデオ出力インターフェース１１７を介して、Ａ３の原稿Ｓの残りの半分を読み取るために操作者に指示する第２回指示画面を、操作パネル２１の表示部２１ｂに表示させる。図１５において、第２回指示画面を示す。なお、原稿Ｓの位置合わせ基準位置は、原稿読取面５１ａの奥側左角である。
【００５８】
操作者は、Ａ３の原稿Ｓをそのまま右にずらし原稿読取面５１ａにセットする。その状態が、図８に示されている。その後、操作者は、操作パネル２１の表示部２１ｂのスタートキーを操作する。
ステップＳ５では、ＣＰＵ１０１が、原稿読取装置１１を駆動して、Ａ３の用紙の残りの半分を読み取らせる。画像データは、メモリコントローラ１１９によって、ＤＤＲメモリ１２１に格納される。
【００５９】
ステップＳ６では、ＣＰＵ１０１は、第２回目に読み取った分割画像データを１８０度回転する必要があるか否かを判断する。この場合は、回転の必要がないので、プロセスはステップＳ８をスキップする。
ステップＳ７では、画像処理部１０３が第１回目の分割画像データと第２回目の分割画像データを合成して、１枚のＡ３の画像データを生成する。図１１において、Ａ３の画像データを示す。
Ａ３の画像データは、そのまま保存され、必要に応じて、他のコンピュータに送信されたり、画像形成部５で印刷されたりする。
【００６０】
上記の設定とは異なり、第２回目の読取のために、第２の読取領域から遠い側を基準に原稿Ｓをセットすれば（例えば、前述の第２方式では）、以下の問題が生じる。すなわち、図１３に示すように、第２回目の読取において原稿Ｓの端部が原稿通過面８３に被さった状態になり、さらに、第２回目の読取を終えた操作者が原稿ＳをＦＢＳ１３に置きっぱなしにして立ち去ることがある。この場合、別の操作者がＡＤＦ１５を利用する際、取り忘れの原稿Ｓにより、ＡＤＦ１５が正常に原稿を読み取れない。
【００６１】
２．実施形態の特徴
原稿読取装置１１（原稿読取装置の一例）は、原稿読取ユニット５５（原稿読取部の一例）と、原稿載置台５１（原稿載置台の一例）とを備えている。
原稿読取ユニット５５は、奥行き方向Ｂ（一方向の一例）を読取主走査方向とし、かつ左右方向Ａ（一方向に直交する方向の一例）を読取副走査方向として、駆動機構を読取副走査方向に駆動させながら、読取主走査方向の読取を繰り返すことで、原稿を読み取る。
原稿載置台５１は、最大読取主走査長Ｌｍ（最大読取主走査長の一例）及び最大読取副走査長Ｌｂ（最大読取副走査長）により区画された原稿読取面５１ａ（第１の読取領域の一例）を有し、原稿読取ユニット５５が原稿を読み取るために、原稿読取面５１ａの範囲内に原稿が載置される。最大読取主走査長Ｌｍが、Ａ列（第１の原稿サイズの一例）に対応する長さに設定され、最大読取副走査長Ｌｂが、Ｂ列（第１の原稿サイズの長辺及び短辺とは異なる長辺及び短辺を有する第２の原稿サイズの一例）に対応する長さに設定される。
この装置では、最大読取主走査長Ｌｍ及び最大読取副走査長Ｌｂが、Ａ列及びＢ列にそれぞれ対応させた長さに設定されている。したがって、従来にない方法で、原稿読取装置１１のサイズのコンパクト化と、原稿の読取可能方向・サイズの拡充との両立を実現できる。また、Ａ４原稿の読取可能方向が縦横方向いずれにも対応可能なので、Ａ４ＬＥＦ原稿の画像データを、回転処理を伴わずに出力できる。
【００６２】
３．他の実施形態
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組み合せ可能である。
前記実施形態では、複数のＡ３読取方式を紹介したが、それらは必須ではない。また、Ａ３の読み取り方式が採用されるとしても、全てが実施可能でなくてもよい。
【産業上の利用可能性】
【００６３】
本発明は、ＦＢＳを有する画像読取装置に広く適用できる。
【符号の説明】
【００６４】
１      ：複合機
３      ：本体部
５      ：画像形成部
７      ：排出トレイ
１１    ：原稿読取装置
１３    ：ＦＢＳ
１５    ：ＡＤＦ
２１    ：操作パネル
２３    ：上部給紙カセット
２５    ：下部給紙カセット
３３    ：感光体ドラム
３５    ：帯電デバイス
３７    ：露光デバイス
３９    ：現像デバイス
４１    ：転写ローラ
４３    ：クリーニングデバイス
４５    ：加熱ローラ
４７    ：加圧ローラ
５１    ：原稿載置台
５１ａ  ：原稿読取面
５３    ：原稿台カバー
５５    ：原稿読取ユニット
５５ａ  ：キャリッジ
７３    ：給紙トレイ
８３    ：原稿通過面
８５    ：排紙トレイ
１０１  ：ＣＰＵ
１０３  ：画像処理部
１０５  ：コーデック
１０７  ：画像回転部
１０９  ：モータコントローラ
１１１  ：ＡＤＦ／ＦＢＳモータ
１１３  ：画像入力インターフェース
１１５  ：画像出力インターフェース
１１７  ：ビデオ出力インターフェース
１１９  ：メモリコントローラ
１２１  ：ＤＤＲメモリ
１３１  ：バス
【図１】
2016220086.tif 000003
【図２】
2016220086.tif 000004
【図３】
2016220086.tif 000005
【図４】
2016220086.tif 000006
【図５】
2016220086.tif 000007
【図６】
2016220086.tif 000008
【図７】
2016220086.tif 000009
【図８】
2016220086.tif 000010
【図９】
2016220086.tif 000011
【図１０】
2016220086.tif 000012
【図１１】
2016220086.tif 000013
【図１２】
2016220086.tif 000014
【図１３】
2016220086.tif 000015
【図１４】
2016220086.tif 000016
【図１５】
2016220086.tif 000017